(57)【要約】【課題】  この発明は、利用予定者を順番待ちさせる際、利用予定者の順番待ちによる不快感を緩和することができる写真撮影編集装置およびその制御方法を提供することを目的とする。【解決手段】  撮影空間７における新たな利用者の収容可否状態を検出するとともに、撮影空間７を形成する機台フレーム１ａに取着した待機用椅子６０の利用状態を検出するようにし、上記収容可否状態の検出結果と、椅子利用状態の検出結果とに基づいて、待機用椅子６０の利用者に対して上記撮影空間７への案内する呼出情報をモニタ６６に表示する。【選択図】    図５
2006317677.tif 000002
【特許請求の範囲】
【請求項１】
利用者を収容可能とし、撮影手段により利用者を撮影する撮影空間と、待機用椅子とを備えた写真撮影編集装置の制御方法であって、
利用者に対し着座許容する待機用椅子について、
上記待機用椅子の利用状態を椅子利用状態検出手段で検出し、
上記撮影空間における新たな利用者の収容可否状態を収容可否検出手段で検出し、
上記収容可否検出手段の検出結果と、上記椅子利用状態検出手段の検出結果とに基づいて、出力制御手段で出力制御することで
待機用椅子の利用者に対する呼出情報を出力手段で出力する
写真撮影編集装置制御方法。
【請求項２】
前記待機用椅子の利用状態の検出として、前記待機用椅子に対応して備えた料金受付手段により料金受付の完了を検出し、
前記収容可否検出手段の検出結果と、上記料金の受付の検出とに基づいて、椅子制御手段で切替手段を制御することで、
切替手段が待機用椅子の着座可否状態を切替える
請求項１記載の写真撮影編集装置制御方法。
【請求項３】
複数の待機用椅子毎に備えた各料金受付手段における料金受付順序を受付順序記憶手段により記憶するとともに、
前記出力制御手段は、前記呼出情報として、上記受付順序記憶手段に記憶された受付順序に基づいて利用者を撮影空間へ受付け順に案内する情報を生成する
請求項２記載の写真撮影編集装置制御方法。
【請求項４】
利用者を収容可能とし、撮影手段により利用者を撮影する撮影空間を備えた写真撮影編集装置であって、
利用者に対し着座許容する待機用椅子と、
該待機用椅子の利用者に対して呼出情報を出力する出力手段と、
上記撮影空間における新たな利用者の収容可否状態を検出する収容可否検出手段と、
上記待機用椅子の利用状態を検出する椅子利用状態検出手段とを備え、
上記収容可否検出手段の検出結果と、上記椅子利用状態検出手段の検出結果とに基づいて、上記出力手段を制御する出力制御手段を備えた
写真撮影編集装置。
【請求項５】
前記椅子利用状態検出手段を、待機用椅子に対応して備えた料金受付手段により構成するとともに、
前記待機用椅子の着座可否状態を切替える切替手段を備え、
前記収容可否検出手段の検出結果と、上記料金受付手段による料金受付完了の検出とに基づいて上記切替手段を制御する椅子制御手段を備えた
請求項４記載の写真撮影編集装置。
【請求項６】
前記待機用椅子を複数備え、
待機用椅子毎に前記料金受付手段を備えるとともに、
各料金受付手段による料金受付順序を記憶する受付順序記憶手段を備え、
前記出力制御手段は、前記呼出情報として、上記受付順序記憶手段に記憶された受付順序に基づいて利用者を撮影空間へ受付け順に案内する情報を生成する構成とした
請求項５記載の写真撮影編集装置。
【発明の詳細な説明】
【技術分野】
【０００１】
この発明は、利用者を収容可能とし、撮影手段により利用者を撮影する撮影空間と、待機用椅子とを備えた写真撮影編集装置およびその制御方法に関する。
【背景技術】
【０００２】
従来、カメラで利用者を撮影して撮影画像を取得し、この撮影画像に対する編集を利用者に行わせ、完成した編集画像を写真シール（シート）として印刷する写真撮影編集装置が提供されている。
【０００３】
近年、このような写真撮影編集装置では、画像の合成に用いるフレーム画像、背景画像、ぬりえ用の線画イラスト画像等の画像データを記憶させ、利用者の操作により様々なバリエーションの装飾を選択可能にし、写真撮影編集装置に対してアミューズメント性や多様性を実現しているものが知られている（特許文献１参照）。
【０００４】
【特許文献１】特開２００４−２９５５２９号公報
【発明の開示】
【発明が解決しようとする課題】
【０００５】
ところが、特許文献１に開示されているように、装飾のバリエーションの選択肢が豊富になると、それだけ選択操作に時間がかかり、順番待ちをしている後の利用予定者の待ち時間を引き延ばすこととなってしまう。
【０００６】
また、このような写真撮影編集装置の利用者は学生が多く、下校時や、休日等写真撮影編集装置を利用する時間帯にある程度の制限があるために、一時に利用者が集中し、装置の前に列をなして順番待ちをする場合もある。
【０００７】
また、このような写真撮影編集装置においては、特許文献１に開示されているように、撮影空間をカーテン等で覆っているものが多く、順番待ちをしている利用予定者からは、撮影空間内の様子をうかがい知ることが困難であり、どのタイミングで自分が撮影可能な状態になっているのかを把握しにくいという問題もある。
【０００８】
ここで、撮影可能な状態のタイミングが把握しにくいと、せっかく撮影空間が撮影可能となっているにも関わらず、次の利用者が撮影空間でのプレイ終了に気づかず、撮影空間が空室状態となる時間帯が発生してしまう。このような時間帯は、順番待ちをしている利用予定者にとって無駄な待ち時間となる。
【０００９】
この発明は、利用予定者を順番待ちさせる際、利用予定者の順番待ちによる不快感を緩和することができる写真撮影編集装置およびその制御方法を提供することを目的とする。
【課題を解決するための手段】
【００１０】
この発明は、利用者を収容可能とし、撮影手段により利用者を撮影する撮影空間を備えた写真撮影編集装置であって、利用者に対し着座許容する待機用椅子と、該待機用椅子の利用者に対して呼出情報を出力する出力手段と、上記撮影空間における新たな利用者の収容可否状態を検出する収容可否検出手段と、上記待機用椅子の利用状態を検出する椅子利用状態検出手段とを備え、上記収容可否検出手段の検出結果と、上記椅子利用状態検出手段の検出結果とに基づいて、上記出力手段を制御する出力制御手段を備えたことを特徴とする。
【００１１】
前記撮影手段は、デジタルカメラまたはデジタルビデオカメラで構成することができる。  
前記呼出情報は、例えば、待機用椅子を利用した利用予定者に対して撮影空間内への入場を許可する内容の案内情報や、複数の待機用椅子毎に各々他と識別するための番号が付されている場合に新たに撮影空間への入場が可能になった利用予定者が現在利用している椅子の番号を通知する椅子番号情報等、新たに撮影空間への入場が可能になった利用予定者に対し、撮影空間が利用可能になった（利用可能な順番が来た）ことを示す情報とすることができる。
【００１２】
前記出力手段は、蛍光ランプ、ＬＥＤ等の表示灯、ＣＲＴディスプレイ、液晶ディスプレイ等の表示手段の他、スピーカ等の音声出力手段で構成することができる。
【００１３】
前記収容可否検出手段は、撮影処理の終了を検出する制御手段や、利用者の退出を検出するセンサ等、撮影空間から利用者が退出するタイミングを検出可能とする手段で構成することができる。
【００１４】
前記椅子利用状態検出手段は、料金投入されたか否かを検出する料金処理装置、椅子が利用状態の形態となったか否かを検出するセンサ、着座している利用予定者の体重を検出する荷重センサ等、椅子を利用する意思表示とみなせる適宜の操作を検出可能とする手段で構成することができる。
【００１５】
前記出力制御手段は、撮影空間の状態、撮影処理の進行状態または、待機用椅子の利用状態等を検出した検出結果により、蛍光ランプまたは、ＬＥＤ等の表示灯に対する表示制御、ＣＲＴディスプレイまたは、液晶ディスプレイ等に表示する表示制御、スピーカ等に対する音声出力制御が行える制御手段で構成することができる。
【００１６】
前記撮影空間は、撮影のみを行う撮影専用空間や、撮影及び編集を行う撮影編集空間で構成することができる。
【００１７】
この発明の態様として、前記椅子利用状態検出手段を、待機用椅子に対応して備えた料金受付手段により構成するとともに、前記待機用椅子の着座可否状態を切替える切替手段を備え、前記収容可否検出手段の検出結果と、上記料金受付手段による料金受付完了の検出とに基づいて上記切替手段を制御する椅子制御手段を備えた構成とすることができる。
【００１８】
前記料金受付手段は、貨幣の金種判定、枚数判定を行う貨幣処理装置等、料金を処理する手段で構成することができる。
【００１９】
前記切替手段は、待機用椅子の着座部の位置を切替る駆動モータ、シリンダ等、適宜のアクチュエータで構成することができる。
【００２０】
椅子制御手段は、撮影空間の利用状態、待機用椅子の利用状態の検出結果により、切替手段に対して、回動、進退等の各種制御信号を出力する手段で構成することができる。
【００２１】
この発明の態様として、前記待機用椅子を複数備え、待機用椅子毎に前記料金受付手段を備えるとともに、各料金受付手段による料金受付順序を記憶する受付順序記憶手段を備え、前記出力制御手段は、前記呼出情報として、上記受付順序記憶手段に記憶された受付順序に基づいて利用者を撮影空間へ受付け順に案内する情報を生成する構成とすることができる。
【００２２】
前記受付順序記憶手段は、ハードディスクや、不揮発性メモリ等、情報を記憶できる手段で構成できる。この情報は、料金受付がなされ、椅子を利用している利用予定者の組数や、現時点での各椅子における受付順番号の設定値や、撮影空間が収容可能状態となったとき、現在の受付順番号を表す数から１を減算した値等で構成することができる。
【発明の効果】
【００２３】
この発明によれば、出力手段によりタイミングよく利用予定者を案内することにより、無駄な順番待ち時間を削減することができるとともに、利用予定者となる椅子利用者を着座させて順番待ちさせることができるため、利用予定者の不快感を緩和することができる。
【発明を実施するための最良の形態】
【００２４】
この発明の一実施形態を以下図面と共に説明する。  
まず、図１に示す写真シール作成機１の平面図と共に、写真シール作成機１の構成について説明する。
【００２５】
写真シール作成機１は、主に撮影空間７と、撮影空間７の正面（図示右側）の筐体９と、該筐体９の、撮影空間７と反対側の編集空間３０とにより構成されている。撮影空間７と編集空間３０とは、写真シール作成機１を構成する機台フレーム１ａ、１ｂにより各々形成されている。
【００２６】
なお、この発明の実施形態においては、撮影空間７と編集空間３０とを個別に設けたが、これに限らず、撮影のための空間と編集のための空間とを同一の空間とした撮影編集空間を設けてもよい。
【００２７】
前記撮影空間７の左右両面には、撮影空間７を外界から隔離し、また出入口を構成するための側面カーテン８が設けられている。また、撮影空間７の上部（天井部）には、ストロボ発光により下方へ向けて照明する不図示の天井照明装置が設けられている。
【００２８】
前記筐体９の撮影空間７側には、照明装置１１の一部（左照明装置１１ａ、右照明装置１１ｂ）、デジタルカメラ１２、モニタ１３、入力装置１４（図４参照）、コイン投入口１５ａ、および写真シール排出口１８ａが設けられている。
【００２９】
前記左照明装置１１ａは、筐体９の正面左側で上部から中央付近へかけて縦長に設けられており、撮影空間７の中央へ向けて照明光を照射する。  
前記右照明装置１１ｂは、筐体９の正面右側で上部から中央付近へかけて縦長に設けられており、撮影空間７の中央へ向けて照明光を照射する。  
また、照明装置１１においては、前記左照明装置１１ａ、右照明装置１１ｂの他、天井照明装置、筐体９下部の照明装置を含む場合もある。
【００３０】
なお、各照明装置１１（１１ａ，１１ｂ）は、正面開放のボックス形状に形成して内面を白色に塗装した反射板と、白色半透明の樹脂材で板状に形成して前記反射板の正面を蓋する拡散板と、内部に備えたストロボ照明装置とで構成している。該ストロボ照明装置は照明方向を撮影空間７の外側に向けて設定しており、該ストロボ照明装置の照射光は、反射板で反射し、撮影空間７の内側に備えた拡散板で拡散される。従って、各照明装置１１は、面光源として利用者や背景カーテン等の被写体を略均一に照明する。
【００３１】
また、前記各照明装置１１の内部には、前記ストロボ照明装置に対して蛍光灯照明装置が併設されており、プレイ中における撮影前のプレビュー時に蛍光灯照明装置でイメージ確認を許容し、撮影時（シャッタ時）にストロボ照明装置で十分な光量が得られるように構成されている。
【００３２】
前記デジタルカメラ１２は、筐体９の正面中央より少し上に設けられており、撮影空間７の中央へ向けて撮影方向を設定している。  
前記モニタ１３は、画像表示を行う液晶モニタなどの表示手段であり、筐体９の中央付近に画面が斜め上方へ向くように傾斜した状態で設けられている。  
前記入力装置１４は、前記モニタ１３に重ねて設けられたタッチパネル（不図示）と、その左右両横に備え付けられたタッチペン（不図示）とにより構成されている。なお、別途デジタルカメラ１２のプレビューを表示するモニタ（不図示）をデジタルカメラ１２の近傍に設けてもよい。
【００３３】
前記コイン投入口１５ａは、筐体９の正面で中央より少し右下位置に設けられている。  
前記写真シール排出口１８ａは、筐体９の右側面に設けられている。
【００３４】
撮影空間７の後方（図示左側）の上部には、背景時の背景となる背景カーテンがロール状に複数巻かれており（不図示）、利用者の選択操作により任意の背景カーテンを撮影画像の背景として指定できるようになっている。
【００３５】
筐体９の、撮影空間７側と反対側には編集空間３０が設けられている。また、筐体９の編集空間３０側には、モニタ３１、入力装置３２（図４参照）が設けられている。  
前記モニタ３１は、画像表示を行う液晶モニタなどの表示手段であり、筐体９に画面が斜め上方へ向くように傾斜した状態で設けられている。  
前記入力装置３２は、例えば、前記モニタ３１に重ねて設けられたタッチパネル（不図示）と、その横に備え付けられたタッチペン（不図示）とにより構成することができる。
【００３６】
以上の構成により、利用者は、背景カーテンを入力装置１４となるタッチパネルおよびタッチペンで選択し、撮影空間７にて照明装置１１の照明を受けた状態でデジタルカメラ１２により撮影した後、編集空間３０に移動し、この撮影により得た撮影画像に入力装置３２となるタッチパネルおよびタッチペンで編集を行い、編集後の編集画像が印刷された写真シールシートを写真シール排出口１８ａから取得することができる。
【００３７】
単に、設置管理者等が順番待ちしている利用予定者のために椅子を用意するだけでは、固定されていない椅子を通路などに配置した場合、椅子の使用後にその位置が変わって配置が乱れ、椅子が他の通行人の邪魔になってしまうという問題があるが、この発明に係る写真シール作成機１においては、図１に示すように、前記機台フレーム１ａの側面部に待機用椅子６０が複数（ここでは３個）取着されているため、椅子の配置の乱れや他の通行人の邪魔にならない。なお、待機用椅子６０は、機台フレーム１ａの側面部に埋め込まれることにより取着されるようにしてもよい。
【００３８】
前記待機用椅子６０は、各々図２、図３に示すように、プレイの順番待ちをしている利用予定者が着座可能な着座部６１を有し、その一端側が枢軸６２を介して機台フレーム１ａの側面部に取着されている。ここで、着座部６１は、機台フレーム１ａの側で枢軸６２を中心にして回動することにより図３（ａ）に示すような、機台フレーム１ａ側に折り畳んだ第一位置と、図３（ｂ）に示すような、利用者が着座可能な第二位置とで位置を切替え可能にしている。さらに、待機用椅子６０は、ロック機構、モニタ６６を備えている。
【００３９】
ロック機構は、主に、着座部駆動装置６３、ロックヘッド部６４（図３参照）および、アクチュエータ６５（図４参照）により構成されており、図３（ａ）に示すように、着座部６１を第一位置で保持してロック作動状態とするものである。
【００４０】
ここで、着座部駆動装置６３は枢軸６２の一端側に取着され、この着座部駆動装置６３が回転駆動することにより、着座部６１が前記第一位置と第二位置との間で枢軸６２を中心に回動するようになっている。
【００４１】
ロックヘッド部６４は、第一位置にある着座部６１に対して進退可能であり、アクチュエータ６５は、ロックヘッド部６４の進出位置、後退位置を切替えるためのものである。アクチュエータ６５としては、例えば、コイルおよびコイル内で進退自在な可動鉄心を備えたソレノイド等により構成することができる。
【００４２】
また、前記待機用椅子６０の近傍には、コイン投入口６７ａが機台フレーム１ａに取着されており、このコイン投入口６７ａにプレイ料金を投入することが可能になっている。各コイン投入口６７ａは、その近傍の待機用椅子６０にそれぞれ対応して設けられている。
【００４３】
さらにまた、着座部６１の自由端側にはブラケット６８を介してモニタ６６が取着されており、ブラケット６８により、モニタ６６の画像が着座した利用予定者の視野に入りやすくなる高さに位置決めされている。
【００４４】
次に、図４に示すブロック図と共に、写真シール作成機１の構成について説明する。  
写真シール作成機１は、制御装置１０、照明装置１１、デジタルカメラ１２、モニタ１３、入力装置１４、貨幣処理装置１５、ＩＤタグリーダ／ライタ１７、プリンタ１８、記憶装置２０、モニタ３１、入力装置３２および、椅子側制御装置４０、椅子側記憶装置５０、着座部駆動装置６３、アクチュエータ６５、モニタ６６、貨幣処理装置６７により構成されている。
【００４５】
なお、椅子側制御装置４０、椅子側記憶装置５０、着座部駆動装置６３、アクチュエータ６５、モニタ６６、貨幣処理装置６７は、図１に示す待機用椅子６０毎に対応して１組づつ設けられている。
【００４６】
各構成要素について説明すると、前記制御装置１０、椅子側制御装置４０は、ＣＰＵ、ＲＯＭ、およびＲＡＭにより構成されており、各機器の制御動作を実行する。なお、制御装置１０は、記憶装置２０に記憶されたプログラムに従って各処理を実行し、モニタ６６による呼出情報表示のための制御も実行する。
【００４７】
前記照明装置１１は、制御装置１０からの照明制御信号に従って、ストロボ照明装置（瞬間照明装置）のストロボ発光、および蛍光灯照明装置の連続発光を実行し、撮影処理および編集処理で利用者を照明する。また上記照明制御信号には、前記デジタルカメラ１２が出力したトリガ信号と同期をとった瞬間発光信号も含まれており、該瞬間発光信号に従ってストロボ照明装置がストロボ発光している間に前記デジタルカメラ１２のシャッタが開閉するように構成している。なお、前記蛍光灯照明装置は、白熱灯照明装置やスポットライト等、連続して照明できる連続照明装置で構成することができる。
【００４８】
前記デジタルカメラ１２は、制御装置１０から撮影開始信号を受けて撮影を実行し、該撮影時にシャッタのトリガ信号を出力する。該撮影による撮影画像は静止画データで、また撮影前のプレビュー画像は動画データで、それぞれ画像データとして制御装置１０に送信する。また、制御装置１０から設定信号を受信し、設定値の変更等も実行する。
【００４９】
ここで、前記トリガ信号の出力タイミングを、撮影空間７における撮影処理が終了して利用者が退出するタイミングとみなし、次の利用者を撮影空間７内へ案内、収容できる状態になったと判定することができる。
【００５０】
前記モニタ１３は、液晶ディスプレイで構成されており、制御装置１０からのＲＧＢ信号に従って、背景カーテンの選択画面、撮影前のプレビュー表示（動画表示）、撮影画像の確認表示（静止画表示）等、必要な画像を表示する。
【００５１】
前記入力装置１４、３２は、前述のタッチパネルとタッチペンで構成されており、利用者にタッチペンでタッチされた座標を入力信号として制御装置１０に送信する。
【００５２】
前記貨幣処理装置１５は、前述のコイン投入口１５ａ（図１）の内部に位置して設けられており、該コイン投入口１５ａから投入された硬貨等のコインの真偽判別および金種判別を実行する。該真偽判別および金種判別が正であれば、プレイを開始する起動信号を制御装置１０に送信する。
【００５３】
前記ＩＤタグリーダ／ライタ１７は、次に説明するプリンタ１８に近接して設けられており、制御装置１０の更新信号に従ってシール紙ユニット７０に備えたＩＤタグのデータを読み書きする。
【００５４】
前記シール紙ユニット７０は、ロール状のシール紙（印刷用紙）とその側面に一体に備えたＩＤタグ７４とで構成されている。該ＩＤタグ７４には、シール紙ユニット７０のＩＤナンバーや印刷残回数等の情報が記憶されている。
【００５５】
前記プリンタ１８は、編集画像が配置された印刷用画像を制御装置１０から受信し、該印刷用画像をシール紙に印刷して作成した写真シールシートを、写真シール排出口１８ａ（図１）から排出する。  
前記記憶装置２０には、背景カーテンの種別データ、ペンツールやスタンプツールなどの描画アイテムや、クロマキー合成に使用する合成用背景画像等、必要な画像データ、照明光度やプレイ料金等の各種設定データ、および必要なプログラムが記憶されている。
【００５６】
前記モニタ３１は、液晶ディスプレイで構成されており、制御装置１０からのＲＧＢ信号に従って、画像編集時に使用するペンツールやスタンプツールなどの描画アイテムや、クロマキー合成に使用する合成用背景画像等、必要な画像を表示する。
【００５７】
椅子側制御装置４０は、椅子側記憶装置５０に記憶されたプログラムに従って各処理を実行し、モニタ６６による呼出情報表示のための制御、着座部駆動装置６３、アクチュエータ６５の制御、コイン投入口６７ａの開閉制御を実行する。なお、この発明の実施形態において呼出情報とは、待機用椅子６０を利用した利用予定者に対して撮影空間７内への入場を許可する内容の案内情報を指すものとする。
【００５８】
椅子側制御装置４０は、制御装置１０からの表示制御信号に従って、呼出情報に対応するＲＧＢ信号をモニタ６６に出力する。
【００５９】
また、椅子側制御装置４０は、該椅子側制御装置４０に対応する待機用椅子６０を利用予定者が利用したとき、新規利用の待機用椅子６０に対応するプレイ順情報を生成するよう要求するプレイ順情報生成制御信号を制御装置１０に送信する。
【００６０】
前記椅子側記憶装置５０には、モニタ６６にて表示する呼出情報の画像データ、着座部駆動装置６３の回動角データ、回動角速度データ、対応する待機用椅子６０に着座した利用予定者に案内順序を示すプレイ順番号データおよび必要なプログラムが記憶されている。
【００６１】
前記着座部駆動装置６３は、椅子側制御装置４０からの回転制御信号に従って回転（正転／逆転）する。  
前記アクチュエータ６５は、椅子側制御装置４０からの進退制御信号に従ってロックヘッド部６４（図３参照）の進出／後退を切替える。  
前記貨幣処理装置６７は、前記コイン投入口６７ａ（図３参照）の内部に位置して設けられており、椅子側制御装置４０からの投入口制御信号に従って、コイン投入口６７ａの開閉を行い、該コイン投入口６７ａから投入された硬貨等のコインの真偽判別および金種判別を実行する。該真偽判別および金種判別が正であれば、待機用椅子６０を利用できる起動信号を椅子側制御装置４０に送信する。
【００６２】
以上の構成により、照明装置１１の照明を得て利用者をデジタルカメラ１２で撮影し、該撮影画像をモニタ３１に表示しつつ入力装置３２で編集許容し、プリンタ１８で印刷した写真シールシートを提供することができる。
【００６３】
また、撮影空間７における利用者の収容可否状態の把握、貨幣処理装置６７による各待機用椅子６０の利用状態の把握、ロックヘッド部６４による待機用椅子６０のロック作動、非作動切替え、およびモニタ６６による呼出情報表示を実行することができる。
【００６４】
次に、図１乃至図４に加え、図５に示すフローチャートとともに、この発明に係る写真シール作成機１の制御装置１０、椅子側制御装置４０の動作について説明する。
【００６５】
現在撮影空間７内でプレイ可能な利用者によって処理が開始され、撮影空間７内のコイン投入口１５ａにコイン投入されると（ステップｓ１：Ｙｅｓ）、制御装置１０は、モニタ１３に背景カーテンの選択画面を表示させ、利用者の選択操作により背景デザインを設定する（ステップｓ２）。
【００６６】
背景デザインの指定が完了し、利用者により入力装置１４を介して所定の操作がなされると、制御装置１０は撮影処理を実行し、利用者、背景カーテンを撮影する（ステップｓ３）。
【００６７】
ここで、椅子側制御装置４０は、順番待ちで待機している利用予定者が、図１等に示すコイン投入口６７ａへコインを投入したか否かを確認し、貨幣処理装置６７を介してコイン投入を確認できなければ（ステップｓ４：Ｎｏ）、制御装置１０はそのまま編集空間３０内のモニタ３１に画像編集用の描画や、合成用背景画像等の必要な画像を表示させ、編集処理を実行する（ステップｓ５）。
【００６８】
編集が終了すると、制御装置１０は、利用者に写真シールの分割種類を選択させる処理を含む印刷処理を実行し、選択された分割種類に従って編集画像を配置する（ステップｓ６）。そして、この配置によって作成した印刷用画像を、プリンタ１８でシール紙に印刷して排出し（ステップｓ７）、処理を終了する。
【００６９】
なお、この実施形態では、ステップｓ４でコイン投入を確認できない場合（ステップｓ４：Ｎｏ）に編集処理に移行しているが、ステップｓ４でコイン投入が確認できなければ撮影処理の制限時間を延長できるようにし、混雑時より長時間の撮影処理を許容してから編集処理に移行できるようにしてもよい。この場合、次のコイン投入を確認するか、適宜の入力装置への撮影終了の入力により、編集処理に移行するようにしてもよい。
【００７０】
一方、前記利用者によって撮影空間７内のコイン投入口１５ａにコインが投入されると（ステップｓ１：Ｙｅｓ）、制御装置１０は、椅子側制御装置４０へ起動信号を転送し、コイン投入口６７ａを開口させる（ステップｓ８）。
【００７１】
ここで、現在撮影空間７を利用可能な利用者の他に利用予定者が現れ、順番待ちをすべくコイン投入口６７ａにコインを投入したことを、前記ステップｓ４の処理にて椅子側制御装置４０が確認できれば（ステップｓ４：Ｙｅｓ）、制御装置１０は、前記ステップｓ５の編集処理を実行しつつ、椅子側制御装置４０からのプレイ順情報生成制御信号により、プレイ順情報を生成する（ステップｓ９）。
【００７２】
制御装置１０は、プレイ順情報生成制御信号を受信した回数をカウントするようになっている。例えば、新たな利用予定者が現れる前に他の利用予定者がコイン投入口６７ａにコインを投入して順番待ちをしていた場合、制御装置１０は、これら他の利用予定者の組数に１を加えた値を順番待ちの組数としてカウントし、新規利用の待機用椅子６０に対してプレイ順番号として割り当てる。
【００７３】
具体的には、制御装置１０は、図６（ａ）に示すように、現在、既にコイン投入口１５ａにコインを投入して、撮影空間７を利用者が利用している場合、後に、図１の待機用椅子６０の内、椅子番号Ｂに対応するコイン投入口６７ａにコインを投入した利用予定者が現れると、その椅子番号Ｂのプレイ順番号に「１」を、さらにその次に異なる椅子番号Ａに対応するコイン投入口６７ａにコインを投入した利用予定者が現れれば、その椅子番号Ａのプレイ順番号に「２」を割り当てる。
【００７４】
なお、図６（ａ）は、椅子番号Ｃに対応するコイン投入口６７ａへのコイン投入が確認されない時点を示しており、制御装置１０は、その椅子番号Ｃに対してプレイ順番号に「０」を割り当てる。ここで、上述したような新たな利用予定者が現れ、椅子番号Ｃの対応するコイン投入口６７ａへコインが投入された場合、制御装置１０は、図６（ｂ）に示すように、既に順番待ちをしている最後の利用予定者のプレイ順番号「２」に１を加えた値「３」を順番待ちの組数としてカウントし、この番号「３」をプレイ順番号として、椅子番号Ｃの新たな利用予定者に対し割り当てるのである。
【００７５】
つまり、制御装置１０は、コイン投入口１５ａ、６７ａにコインを投入した順番をそのままプレイ順番号に反映させるよう関連付けをしてプレイ順情報を生成しているのである。
【００７６】
図５に戻り、プレイ順序情報を表示すると、椅子側制御装置４０は、新たにコイン投入されたコイン投入口６７ａに対応する椅子、例えば椅子番号Ｃのアクチュエータ６５に対して進退制御信号を出力することにより着座部６１のロック状態を解除させ、椅子番号Ｃを利用可能状態にする（ステップｓ１０）。
【００７７】
一方、制御装置１０は、前記ステップｓ９の処理において生成したプレイ順情報を含む表示制御信号を出力し、椅子側制御装置４０は、椅子番号A、Ｂ、Ｃの各モニタ６６に、その椅子に対応するプレイ順番号を表示させる（ステップｓ１１）。
【００７８】
椅子側制御装置４０は、椅子側記憶装置５０にてその待機用椅子６０に対応するプレイ順番号のデータを記憶し、常に自らが制御する対象となる椅子のプレイ順を把握するようになっている。
【００７９】
この間、制御装置１０は、デジタルカメラ１２からのトリガ信号を監視することによりステップｓ３の撮影処理が終了したか否かを判定しており、この判定をもって、撮影空間７内に次の利用者を収容可能な状態になったか否かを判定する（ステップｓ１２）。
【００８０】
制御装置１０がこのトリガ信号を受信すると、撮影処理が終了し、撮影空間７が空室となって次の利用者を収容できる状態になったと判定する（ステップｓ１３：Ｙｅｓ）。
【００８１】
なお、撮影のための制限時間が経過した場合に、次の利用者を収容できると判定してもよい。また、予め設定された規定枚数の撮影画像を取得した場合に、次の利用者を収容できると判定してもよい。
【００８２】
ここで、前記ステップｓ４にて、コイン投入口６７ａへのコインが確認されており、例えば、図６（ｂ）に示すように待機用椅子６０が１つでも利用状態であると判定すれば、たとえ、現在の利用者が未だ編集空間３０で編集操作を行っているとしても撮影空間７は空室状態であるため、制御装置１０は各椅子側制御装置４０に表示制御信号を出力する。
【００８３】
このとき、撮影終了した時点で前記プレイ順番号「１」を割り当てられている椅子番号Ｂに対応するモニタ６６が、撮影空間７内への入場を許可する内容の案内情報を表示する（ステップｓ１４）。
【００８４】
制御装置１０が、前記プレイ順番号を割り当てられた椅子側制御装置４０に対して出力する表示制御信号は、各椅子側記憶装置５０に記憶されている各々のプレイ順番号の値から１を減算し、その値をプレイ順情報として表示させる旨の制御信号である。
【００８５】
椅子側制御装置４０により減算処理がなされると、プレイ順番号「１」が割り当てられる椅子番号Ｂでは、減算後「０」となり、上述した撮影空間７への入場を許可する内容の撮影案内情報表示となる。他、プレイ順番号「２」、「３」が割り当てられる椅子番号Ａ、Ｃでは、減算後各々「１」、「２」となるため、モニタ６６では、上記プレイ順番号は各々「１」、「２」と切替られて表示される（図６（Ｃ）参照）。
【００８６】
次に、椅子番号Ｂの待機用椅子６０に着座していた利用予定者がプレイすることとなり、席を離れ椅子番号Ｂが未利用の状態となると、椅子側制御装置４０は着座駆動装置６３、アクチュエータ６５に対して進退制御信号、回動制御信号を出力する。これにより、着座部６１が折り畳まれ、ロックヘッド部６４の進出動作により着座部６１はロック状態となる（ステップｓ１５）。
【００８７】
また、制御装置１０では、椅子番号Ｂにプレイ順番号「０」を割り当てることにより情報の更新が実行される。
【００８８】
ここで、制御装置１０は、待機用椅子６０を利用して順番待ちをしている組数が増減する度に記憶装置２０の記憶データを上書きするようになっている。
【００８９】
以上の動作により、制御手段１０と、椅子側制御手段４０と、モニタ６６とを備え、呼出情報をモニタ６６により表示可能とすることで、撮影空間の空き状態を待機用椅子６０に着座している利用予定者が容易に把握することができ、利用者の入替わりをスムーズにすることができる。従って、待ち時間が長引くことによる利用予定者の不快感を緩和することができる。
【００９０】
また、利用予定者によるプレイ料金支払い行為を、待機用椅子６０利用の意思表示としてみなすことができるため、コイン投入口６７ａ（貨幣処理装置６７）は、撮影料金支払いを受付ける機能と、椅子利用状態を検出する機能とを兼ねることができる。さらに、コイン投入口６７ａにてコイン投入がされないと着座できないようにすることにより、写真シール作成機１の利用に無関係な他の通行人が着座することを防止できる。
【００９１】
制御装置１０は、コイン投入口１５ａ、６７ａにコインを投入した順番をそのままプレイ順番号とすることにより、順番待ちを始めた順番どおりに確実に利用予定者を案内することができる。これにより、利用者は正しい順序でプレイでき、安心して順番待ちできる。
【００９２】
また、プレイ順番号をモニタ６６で表示可能とすることにより、各待機用椅子６０に着座している利用予定者は、自分より先に順番待ちしている利用予定者の組数を把握することができる。これにより、どの程度の待ち時間で自分にプレイの順番が回るかを予見させることができるため、待ち時間の目安を得ることができる。
【００９３】
なお、待機用椅子６０は、１つ取着されているものであってもよく、この場合、撮影空間７内の収容可能状態を検出すれば、モニタ６６に、撮影空間７内への入場を許可する内容の撮影空間案内情報を表示させるようにすればよい。即ち、図５における、プレイ順番号の情報を生成するステップｓ９、ｓ１４の一部が不要になる。
【００９４】
また、コイン投入口１５ａ、６７ａでプレイ料金を受取る方式の他、写真シール作成機１の設置店舗内にて各機種共通に使用できる利用回数券（プリペイドカード）等から残金データを差し去り処理する方式であってもよい。
【００９５】
さらにまた、撮影空間７の収容可能状態を判定する手段を例えば、撮影空間７内の利用者の存在を検出するセンサで構成してもよい。例えば、温度センサを使用して利用者の体温を検出したり、撮影空間７の機台フレーム１ａの側壁に測距センサを配設し、利用者に対し放出した光線の反射を検出することにより利用者の存在を検出したりしてもよい。
【００９６】
待機用椅子６０の利用状態の検出においては、着座部６１への荷重を計測するセンサを配設することにより、利用者の着座を検出することも可能である。
【００９７】
さらにまた、撮影専用空間と編集専用空間、写真シール排出口とを同一室内に形成した写真シール作成機にこの発明を適用してもよい。この場合、現在の利用者の次に順番待ちをしている利用予定者を空間内に収容できるのは、撮影処理、編集処理、印刷処理がともに終了した後であることが条件となるため、図５に示すフローチャートの、コイン投入口６７ａにコイン投入が確認されたか否かを判定するステップｓ４が、プリンタ１８における印刷処理ステップｓ６の次に実行されるようにすればよい。
【００９８】
また、必ずしも写真撮影編集装置の利用目的を写真シールシートの排出とすることに限定されない。例えば、撮影処理された画像データを外部機器に適宜の通信回線を介して出力できるものでもよく、この場合、制御装置１０は、画像データ出力処理の終了をもって、次の利用者を撮影空間７内に収容できる状態と判定する。
【００９９】
さらにまた、順番待ちをしている利用予定者の適宜の選択操作により、ゲームモード、商品案内情報表示モード等に切替え可能とする各種娯楽提供端末としての機能を椅子側制御装置４０、モニタ６６に持たせてもよい。この場合、待ち時間中であっても利用予定者を退屈させないようにできる。また、撮影空間７における利用予定者の収容可否状態に変化があれば逐一モニタ上に呼出情報を表示するよう切替えればよい。
【０１００】
この発明の構成と、上述の実施形態との対応において、
この発明の撮影手段は、デジタルカメラ１２に対応し、
以下同様に、
出力手段は、モニタ６６に対応し、
収容可否検出手段は、ステップｓ１２、ｓ１３を実行する制御装置１０に対応し、
椅子利用状態検出手段は、コイン投入口６７ａ、貨幣処理装置６７および、ステップｓ４を実行する椅子側制御装置４０に対応し、
出力制御手段は、ステップｓ１４を実行する制御装置１０、椅子側制御装置４０に対応し、
料金受付手段は、コイン投入口６７ａおよび、貨幣処理装置６７に対応し、
椅子制御手段は、ステップｓ１０、ｓ１５を実行する椅子側制御装置４０に対応し、
切替手段は、着座部駆動装置６３、ロックヘッド部６４および、アクチュエータ６５に対応し、
受付順序記憶手段は、記憶装置２０、椅子側記憶装置５０に対応するも、
この発明は、上述の実施形態の構成のみに限定されるものではなく、多くの実施の形態を得ることができる。
【図面の簡単な説明】
【０１０１】
【図１】写真シール撮影機を示す平面図。
【図２】筐体側から見た撮影空間、椅子を示す正面図。
【図３】待機用椅子の（ａ）着座可能状態、（ｂ）着座部ロック状態を示す斜視図。
【図４】写真シール撮影機の構成を示すブロック図。
【図５】呼出情報処理を含む写真シール撮影機の制御処理を示すフローチャート。
【図６】撮影空間、各待機用椅子と、それぞれに対応するプレイ順番号との対応を示す対応表。
【符号の説明】
【０１０２】
１０…制御装置
１２…デジタルカメラ
２０…記憶装置
４０…椅子側制御装置
５０…椅子側記憶装置
６３…着座部駆動装置
６４…ロックヘッド部
６５…アクチュエータ
６６…モニタ
６７…貨幣処理装置
６７ａ…コイン投入口
【図１】
2006317677.tif 000003
【図２】
2006317677.tif 000004
【図３】
2006317677.tif 000005
【図４】
2006317677.tif 000006
【図５】
2006317677.tif 000007
【図６】
2006317677.tif 000008